(57)【特許請求の範囲】
【請求項１】
放送番組において提供される複数のチャンネルの音声のうち、ダイアログ音声を提供するダイアログ専用チャンネルの選択状態を示すチャンネル状態情報を取得するチャンネル状態取得部と、
前記ダイアログ専用チャンネルの音量と、前記複数のチャンネルの他のチャンネルの音量をそれぞれ制御する音声処理部と、
前記チャンネル状態情報が示す前記ダイアログ専用チャンネルの音量の制御データを通信装置に要求し、前記通信装置から受信した制御データに基づいて前記ダイアログ専用チャンネルの音量を定める音声設定部と、
を備える受信装置。
【請求項２】
前記チャンネル状態情報は、受信している放送番組を示す選局情報を含む請求項１に記載の受信装置。
【請求項３】
前記音声設定部は、前記チャンネル状態情報が変更されるとき、前記制御データを前記通信装置に要求する請求項１または請求項２に記載の受信装置。
【請求項４】
前記音声設定部は、更新された前記ダイアログ音声の制御データを前記通信装置から受信し、当該制御データに基づいて前記ダイアログ専用チャンネルの音量を設定する請求項１から請求項３のいずれか一項に記載の受信装置。
【請求項５】
受信している放送番組において前記ダイアログ音声が検出されるとき、前記ダイアログ音声の提供を通知部に通知させる通知処理部を、
さらに備える請求項１から請求項４のいずれか一項に記載の受信装置。
【請求項６】
通信装置と受信装置とを備える放送システムであって、
前記通信装置は、
放送番組において提供される複数のチャンネルの音声のうち、ダイアログ音声を提供するダイアログ専用チャンネルの選択状態を示すチャンネル状態情報を前記受信装置から受信し、
前記チャンネル状態情報に基づいて定めた前記ダイアログ専用チャンネルの音量の制御データを前記受信装置に送信し、
前記受信装置は、
前記チャンネル状態情報を取得するチャンネル状態取得部と、
前記ダイアログ専用チャンネルの音量と、前記複数のチャンネルの他のチャンネルの音量をそれぞれ制御する音声処理部と、
前記チャンネル状態情報が示す前記ダイアログ専用チャンネルの音量の制御データを前記通信装置に要求し、前記通信装置から受信した制御データに基づいて前記ダイアログ専用チャンネルの音量を定める音声設定部と
を備える放送システム。
【請求項７】
受信装置における受信方法において、
放送番組において提供される複数のチャンネルの音声のうち、ダイアログ音声を提供するダイアログ専用チャンネルの選択状態を示すチャンネル状態情報を取得するチャンネル状態取得ステップと、
前記ダイアログ専用チャンネルの音量と、前記複数のチャンネルの他のチャンネルの音量をそれぞれ制御する音声処理ステップと、
前記チャンネル状態情報が示す前記ダイアログ専用チャンネルの音量の制御データを通信装置に要求し、前記通信装置から受信した制御データに基づいて前記ダイアログ専用チャンネルの音量を定める音声設定ステップと、
を有する受信方法。
【請求項８】
受信装置のコンピュータに、
放送番組において提供される複数のチャンネルの音声のうち、ダイアログ音声を提供するダイアログ専用チャンネルの選択状態を示すチャンネル状態情報を取得するチャンネル状態取得ステップと、
前記ダイアログ専用チャンネルの音量と、前記複数のチャンネルの他のチャンネルの音量をそれぞれ制御する音声処理ステップと、
前記チャンネル状態情報が示す前記ダイアログ専用チャンネルの音量の制御データを通信装置に要求し、前記通信装置から受信した制御データに基づいて前記ダイアログ専用チャンネルの音量を定める音声設定ステップと、
を実行させるためのプログラム。
【発明の詳細な説明】
【技術分野】
【０００１】
本発明は、受信装置、受信方法、放送システムおよびプログラム、特にテレビジョン放送システムに関する。
【背景技術】
【０００２】
デジタルテレビジョン放送において、多チャンネル音声の一部のチャンネルについて、他のチャンネルと独立した音量制御を可能とするダイアログ専用チャンネルを設けることが検討されている。ダイアログ専用チャンネルには、番組の一部の要素としてダイアログ音声が提供される。ダイアログ音声対応の受信装置は、ダイアログ音声が提供されていることを認識し、全チャンネルについての音量調整とは別にダイアログ専用チャンネルについて音量調整を可能とする。このことにより、ユーザはダイアログ音声の音量を所望の聞きやすい音量に調整することができる。また、番組において複数の音声コンテンツがダイアログ音声として提供されることがある。ユーザは、複数の音声コンテンツからいずれか１つを選択し、任意に切り替えることができる。
【０００３】
例えば、特許文献１には、ダイアログ音量制御部、主音量制御部及びダイアログ音量制御部ならびに主音量制御部と結合され、ダイアログ音量及び主音量をそれぞれ個別に調節するためのダイアログ音量調節信号及び主音量調節信号を個別に生成するように構成される回路部を含むことを特徴とする装置について記載されている。
【先行技術文献】
【特許文献】
【０００４】
【特許文献１】特表２０１０−５１５２９０号公報
【発明の概要】
【発明が解決しようとする課題】
【０００５】
しかしながら、ダイアログ音声の聞きやすさは、その他の音声の音量との関係の他、番組の種別や周囲環境などの視聴に関連する要因によっても異なる可能性がある。そのため、ユーザはダイアログ音声を受聴する際の音量の目標が明らかではないことがある。他方、ダイアログ音声の音量をその都度調節することはユーザにとり煩雑である。
【０００６】
本発明は、上記の課題に鑑みてなされたものであって、ダイアログ音声をより有用に提供することができる受信装置、受信方法、放送システム及びプログラムを提供することを目的としている。
【課題を解決するための手段】
【０００７】
本発明は上記の課題を解決するためになされたものであり、本発明の一態様は、放送番組において提供される複数のチャンネルの音声のうち、ダイアログ音声を提供するダイアログ専用チャンネルの選択状態を示すチャンネル状態情報を取得するチャンネル状態取得部と、前記ダイアログ専用チャンネルの音量と、前記複数のチャンネルの他のチャンネルの音量をそれぞれ制御する音声処理部と、前記チャンネル状態情報が示す前記ダイアログ専用チャンネルの音量の制御データを通信装置に要求し、前記通信装置から受信した制御データに基づいて前記ダイアログ専用チャンネルの音量を定める音声設定部と、を備える受信装置である。
【発明の効果】
【０００８】
本発明の一態様によれば、ダイアログ音声をより有用に提供することができる。
【図面の簡単な説明】
【０００９】
【図１】第１の実施形態に係る放送システムの概略ブロック図である。
【図２】ダイアログ音声を説明するための図である。
【図３】ダイアログ音声の音量調整を説明するための図である。
【図４】第１の実施形態に係る送信装置の構成を示すブロック図である。
【図５】第１の実施形態に係る通信装置の構成を示すブロック図である。
【図６】相対レベルテーブルの例を示す図である。
【図７】第１の実施形態に係る受信装置の構成を示すブロック図である。
【図８】通知画面の例を示す図である。
【図９】リモートコントローラの例を示す外観図である。
【図１０】第１の実施形態に係る情報処理を示すシーケンス図である。
【図１１】第２の実施形態に係る放送システムの概略ブロック図である。
【発明を実施するための形態】
【００１０】
（第１の実施形態）
以下、本発明の第１の実施形態について、図面を参照して説明する。
図１は、本実施形態に係る放送システム１の概略ブロック図である。
放送システム１は、送信装置１０と、通信装置２０と、受信装置３０とを含んで構成される放送通信連携システムである。放送システム１では、一般に送信装置１０、通信装置２０、及び受信装置３０が、それぞれ複数個存在しうる。但し、以下では説明を簡潔にするため、送信装置１０の個数、通信装置２０の個数及び受信装置３０の個数が、それぞれ１個である場合を例にする。
【００１１】
放送システム１は、放送番組を構成するコンテンツを示す番組データを所定の多重化・伝送方式を用いて伝送するシステムである。コンテンツとは、音声、映像、などの放送番組の構成要素であり、受信装置３０により提示される情報である。番組データには、放送番組のコンテンツとして音声を示す音声データと、映像を示す映像データが含まれる。以下の説明では、多重化・伝送方式として、主にＭＰＥＧ−Ｈで規定されたＭＭＴ（ＭＰＥＧ  Ｍｅｄｉａ  Ｔｒａｎｓｐｏｒｔ）・ＴＬＶ（Ｔｙｐｅ  Ｌｅｎｇｔｈ  Ｖａｌｕｅ）によるメディアトランスポート方式が用いられる場合を例にする。
【００１２】
送信装置１０は、番組データと放送番組の提示を制御するための制御データをそれぞれ取得し、取得した番組データと制御データを多重化し、多重化データを生成する。取得された番組データは、符号化された音声データ、符号化された映像データを含むデータである。番組データは、映像データや音声データを含んで構成される。映像データや音声データなどの個々の構成要素は、アセットと呼ばれることがある。本実施形態では、放送番組のコンテンツにダイアログ音声が含まれる。ダイアログ音声は、複数のチャンネルの音声（多チャンネル音声）のうち、所定のチャンネルで再生させる音声である。ダイアログ音声は、通常の放送の音声（放送音声）と同一のストリームで送信されることも、別個のストリームで送信されることもある。ダイアログ音声については後述する。
送信装置１０は、生成した多重化データを搬送する放送波を受信装置３０に放送伝送路４０を介して送信する。送信装置１０は、例えば、放送事業者の放送設備を構成する送信装置である。
【００１３】
通信装置２０は、所定のアプリケーションを受信装置３０に送信する。このアプリケーションは、所定の記述言語（例えば、ＨＴＭＬ５）で記述され、放送番組の一部を構成する音声データ、映像データ及びテキストデータのいずれかもしくは組み合わせが含まれることがある。このアプリケーションには、通知情報が含まれることや、その通知情報を表示部３５に表示させるための命令が記述されることがある。また、通信装置２０は、ダイアログ音声のダイアログ専用チャンネルの選択状態を含むチャンネル状態を示すチャンネル状態情報を受信装置３０から取得する。そして、通信装置２０は、チャンネル状態情報に基づいてダイアログ専用チャンネルの音声の種類や音量を示す制御データを定める。通信装置２０は、定めた制御データを受信装置３０に送信する。通信装置２０は、例えば、放送事業者又はコンテンツ提供者のサーバ装置である。
【００１４】
受信装置３０は、送信装置１０から放送伝送路４０を介して多重化データを受信し、受信した多重化データに含まれる番組データで表される放送番組のコンテンツを提示可能な電子機器である。また、受信装置３０は、通信装置２０から通信伝送路５０を介して受信したアプリケーションが示す命令に応じた処理を行うことで、その放送番組の一部のコンテンツを提示する。受信装置３０は、放送番組の音声のうち、所定のチャンネルで再生させるダイアログ音声のダイアログ専用チャンネルの選択状態を含むチャンネル状態を取得し、ダイアログ専用チャンネルの音量と、その他のチャンネルの音量をそれぞれ制御する。受信装置３０は、チャンネル状態に応じたダイアログ専用チャンネルの音量の制御データを通信装置２０に要求し、通信装置２０から受信した制御データに基づいてダイアログ専用チャンネルの音量を設定する。受信装置３０は、例えば、テレビジョン受像機、その他テレビジョン放送の受信機能を備える電子機器である。
【００１５】
受信装置３０は、送信装置１０又は通信装置２０から受信した音声データが示す多チャンネル音声がダイアログ音声を含んだ音声データであることを検出する。受信装置３０は、複数のチャンネルのうちダイアログ音声を再生するダイアログ専用チャンネルの音量と、その他のチャンネルの音量をそれぞれ制御する。受信装置３０は、検出したダイアログ音声に関する通知データ（後述）を通知部（後述）に出力する。通知データが示す通知に接したユーザは、ダイアログ音声の存在に気付くことができる。また、通知データにダイアログ専用チャンネルの音量の調整に関する案内情報を含めることで、ダイアログ音声についてその他のチャンネルと独立に音量が調整可能であることや、その調整方法がユーザに通知される。また、通知データにダイアログ音声に関する解説情報を含めることで、例えば、放送事業者や番組制作者がダイアログ音声を提供した意図や、ダイアログ音声の概要や意義についてユーザに知得させることができる。
【００１６】
放送伝送路４０は、各種のデータを同時に複数の受信装置３０に対して一方的に伝送することが可能な伝送路である。放送伝送路４０は、放送衛星４１を含んで構成される。放送衛星４１は、送信装置１０が送信した放送波を中継し、中継した放送波を受信装置３０に送信する中継装置（図示せず）を搭載する。放送伝送路４０は、その一部に通信回線、例えば、送信装置１０から送信アンテナまでの間を有線又は無線で接続する通信ネットワークを含んでもよい。なお、放送伝送路４０を介して各種のデータを伝送（送信、受信）することを「放送で伝送（送信、受信）する」呼ぶ。
【００１７】
通信伝送路５０は、通信装置２０と受信装置３０との間で各種のデータを双方向的に伝送する伝送路である。通信伝送路５０は、例えば、インターネット、公衆無線通信網、等の広域通信網を含む。通信伝送路５０には、一部に構内通信網（ＬＡＮ：Ｌｏｃａｌ  Ａｒｅａ  Ｎｅｔｗｏｒｋ）や専用のアクセス網が含まれてもよい。なお、通信伝送路５０を介して各種のデータを伝送（又は、送信、受信）することを、「通信で伝送（又は、送信、受信）する」と呼ぶことがある。
【００１８】
（ダイアログ音声）
次に、ダイアログ音声について説明する。図２は、ダイアログ音声を説明するための図である。ダイアログ音声とは、複数のチャンネルのうち所定のチャンネルを用いて再生される音声である。ダイアログ音声は、通例２ｃｈ（ｃｈａｎｎｅｌ）よりも多くのチャンネルを有するサラウンド音声の一部として用いられる。ダイアログとは、本来、ドラマ、映画などの演芸のせりふを意味する語であるが、本実施形態では、ダイアログ音声には、せりふに限らず、主に人間が発話した音声もしくは合成された音声であって、放送番組の内容、要点、意味、背景などの内容を表す音声も含まれる。ダイアログ音声として、例えば、スポーツ放送、演芸番組、ニュース番組などの番組の解説音声、楽曲における特定の歌声が含まれる。また、ダイアログ音声は、外国語で発話された外国語音声やそれらを含む多言語音声として提供されることがある。また、ダイアログ音声は、視覚障害や聴覚障害などの知覚障害を補完するために用いられることがある。視覚障害用の音声として、例えば、映像が表現する情報を表す解説音声が用いられる。聴覚障害用の音声として、例えば、通常の音声よりも発話速度が遅い音声や、通常の音声よりも音量が大きい音声が用いられる。
【００１９】
図２は、受信装置３０が多チャンネル音声の再生方式としてサラウンド５．１ｃｈを用いる場合を例にする。サラウンド５．１ｃｈは、所定の受聴位置Ｏｓを基準として前方正面（Ｃ：Ｃｅｎｔｅｒ）、前方左（Ｌ：Ｌｅｆｔ）、前方右（Ｒ：Ｒｉｇｈｔ）、後方左（ＬＳ：Ｌｅｆｔ  Ｓｕｒｒｏｕｎｄ）、後方右（ＲＳ：Ｒｉｇｈｔ  Ｓｕｒｒｏｕｎｄ）に設置された５個のスピーカと、所定の周波数よりも低い周波数帯域の音声である低域効果音（ＬＦＥ）専用のスピーカを用いる再生方式である。前方正面（Ｃ）、前方左（Ｌ）、前方右（Ｒ）、後方左（ＬＳ）、後方右（ＲＳ）、低域効果音（ＬＦＥ）の各チャンネル又はスピーカは、それぞれＦＣ（Ｆｒｏｎｔ  Ｃｅｎｔｅｒ）、ＦＬ（Ｆｒｏｎｔ  Ｌｅｆｔ）、ＦＲ（Ｆｒｏｎｔ  Ｒｉｇｈｔ）、ＳＬ（Ｓｕｒｒｏｕｎｄ  Ｌｅｆｔ）、ＳＲ（Ｓｕｒｒｏｕｎｄ  Ｒｉｇｈｔ）、ＳＷ（Ｓｕｂ−ｗｏｏｆｅｒ）と呼ばれることがある。
【００２０】
ダイアログ音声を再生するチャンネルであるダイアログ専用チャンネルとして、通例、前方正面（Ｃ）、前方左（Ｌ）、前方右（Ｒ）のいずれかのチャンネル又はそれらの組が用いられることが多く、低域効果音（ＬＦＥ）のチャンネルは用いられない。これは、ユーザに対してダイアログ音声を前方正面に知覚させることで、ダイアログ音声で表されるせりふ、解説音声などの内容を明瞭に把握させるためである。従って、所定の内容を有する音声をダイアログ音声として用いることで、その内容をユーザに容易に把握させることができる。ダイアログ音声は、例えば、ユーザの言語、嗜好等の諸要件に応じてその内容に注目させること、ユーザの聴力を補完すること、残響・騒音などの視聴環境の影響を低減すること、を目的として用いられることがある。上述では、チャンネルとは、主に音声データの入出力、再生の単位を意味する。以下では、音声チャンネルと呼ぶことにより、放送局や放送ネットワーク毎に割り当てられた伝送路（周波数）である放送チャンネルと区別することがある。
【００２１】
（ダイアログ音声の音量調整）
次に、ダイアログ音声の音量調整について説明する。
図３は、ダイアログ音声の音量調整を説明するための図である。
受信装置３０は、複数のチャンネルのうちダイアログ音声を再生するダイアログ専用チャンネルの音量と、その他のチャンネルの音量を個々に制御する。図３に示す例では、ダイアログ専用チャンネルの音量は、その他のチャンネルの音量（主音量）との差分である相対レベルによって指定される。縦軸、横軸は、それぞれ音量のレベル、相対レベルを示す。図３は、左から右に順に相対レベルが＋１０ｄＢ、＋７ｄＢ、０ｄＢ、−３ｄＢである場合におけるダイアログ専用チャンネル、その他のチャンネルの音量レベルをそれぞれ示す。ダイアログ専用チャンネルの音量レベル、その他のチャンネルの音量レベルは、それぞれ塗りつぶし、白抜きの棒グラフで表される。
【００２２】
図３に示す例では、全チャンネル共通の音量レベルの基準値は０ｄＢであり、相対レベルに関わらず音量レベルが基準値を超えないように制御される。０ｄＢより高い相対レベルではダイアログ専用チャンネルの音量レベルが基準値に固定され、相対レベルが高いほどその他のチャンネルの音量が低くなる。０ｄＢ未満の相対レベルではその他のチャンネルの音量が基準値に固定され、相対レベルが低いほどダイアログ専用チャンネルの音量が低い。例えば、相対レベルが＋１０ｄＢである場合、ダイアログ専用チャンネル、その他のチャンネルそれぞれの音量レベルは、それぞれ０ｄＢ、−１０ｄＢである。相対レベルが−３ｄＢである場合、ダイアログ専用チャンネル、その他のチャンネルそれぞれの音量レベルは、それぞれ−３ｄＢ、０ｄＢである。以下、ダイアログ専用チャンネルの音声の音量レベルをダイアログ音量と呼び、その他のチャンネルの音量レベルを他チャンネル音量と呼び、全チャンネル共通の音量レベルをチャンネル共通音量と呼ぶ。
【００２３】
再生モード、つまり、１つのアセットを構成する音声チャンネルの数は、制御データで指定される。例えば、制御データが、ＭＭＴ−ＳＩ（ＭＭＴ−Ｓｙｓｔｅｍ  Ｉｎｆｏｒｍａｔｉｏｎ）で表される場合、ＭＰＴ（ＭＭＴ  Ｐａｃｋａｇｅ  Ｔａｂｌｅ）のアセット毎の記述子領域で指定される。記述子領域において、再生モードは、種類が音声であるアセットについてＭＨ−音声コンポーネント記述子のコンポーネント種別（ｃｏｍｐｏｎｅｎｔ−ｔｙｐｅ）において最下位の５ビットで表される。例えば、サラウンド５．１ｃｈ（３／２．１モード）、サラウンド７．１ｃｈ（５／２．１モード）、サラウンド２２．２ｃｈ（３／３／３・５／２／３・３／０／０．２モード）、通常のステレオ２ｃｈ（２／０モード）は、それぞれ「０１００１」、「０１１００」、「１０００１」、「０００１１」と表される。
【００２４】
音声データには、ダイアログ音声のチャンネルやデフォルトの相対レベルを示すダイアログ制御情報が付加されることがある。ダイアログ制御情報の有無は、ＭＨ−音声コンポーネント記述子のコンポーネント種別において最上位の１ビットで表される。例えば、「１」、「０」は、それぞれ音声ストリーム（音声データ）がダイアログ制御情報を含むこと、含まないことを示す。音声データがＬＡＴＭ／ＬＯＡＳ（Ｌｏｗ−ｏｖｅｒｈｅａｄ  ＭＰＥＧ−４  Ａｕｄｉｏ  Ｔｒａｎｓｐｏｒｔ  Ｍｕｌｔｉｐｌｅｘ／Ｌｏｗ  Ｏｖｅｒｈｅａｄ  Ａｕｄｉｏ  Ｓｔｒｅａｍ）ストリーム形式は、ＬＯＡＳ、ＬＡＴＭヘッダ、ＳＣＥ１（Ｓｉｎｇｌｅ  Ｃｈａｎｎｅｌ  Ｅｌｅｍｅｎｔ  １）、ＣＰＥ１（Ｃｈａｎｎｅｌ  Ｐａｉｒ  Ｅｌｅｍｅｎｔ  １）、ＣＰＥ２、ＬＦＥ、ＰＣＥ（Ｐｒｏｇｒａｍ  Ｃｏｎｆｉｇｕｒａｔｉｏｎ  Ｅｌｅｍｅｎｔ）、ＤＳＥ（Ｄａｔａ  Ｓｔｒｅａｍ  Ｅｌｅｍｅｎｔ）、ＴＥＲＭ（Ｔｅｒｍｉｎａｔｏｒ）の各領域を有する。ダイアログ制御情報は、ＤＳＥに記述される。また、ＳＣＥ１、ＣＰＥ１、ＣＰＥ２及びＬＦＥと各チャンネルの対応関係とダイアログ制御情報の有無を示すエレメント構成情報が、ＰＣＥに格納されることがある。
【００２５】
（送信装置の構成）
次に、本実施形態に係る送信装置１０の構成について説明する。
図４は、本実施形態に係る送信装置１０の構成を示すブロック図である。送信装置１０は、番組データ取得部１１と、制御データ取得部１２と、多重化部１３と、変調部１４と、送信部１５と、を含んで構成される。
【００２６】
番組データ取得部１１は、放送番組を構成する映像を示す映像データと音声を示す音声データを取得する。番組データ取得部１１は、所定の映像符号化方式で符号化された映像データを取得する。所定の映像符号化方式は、例えば、ＩＳＯ／ＩＥＣ  ２３００８  ＨＥＶＣ（Ｉｎｔｅｒｎａｔｉｏｎａｌ  Ｏｒｇａｎｉｚａｔｉｏｎ  ｆｏｒ  Ｓｔａｎｄａｒｄｉｚａｔｉｏｎ／Ｉｎｔｅｒｎａｔｉｏｎａｌ  Ｅｌｅｃｔｒｏｎｉｃａｌ  Ｃｏｍｍｉｓｉｏｎ  ２３００８  Ｐａｒｔ２  Ｈｉｇｈ  Ｅｆｆｉｃｉｅｎｃｙ  Ｖｉｄｅｏ  Ｃｏｄｉｎｇ、単にＨＥＶＣとも呼ばれる）で規格化された方式である。
【００２７】
また、番組データ取得部１１は、所定の音声符号化方式で符号化された音声データを取得する。所定の音声符号化方式は、例えば、ＩＳＯ／ＩＥＣ  １４４９６  Ｐａｒｔ３（ＭＰＥＧ−４オーディオとも呼ばれる）で規定された音声符号化方式である。番組データ取得部１１は、１つの番組において同時に複数の再生モードの音声データを取得することがある。番組データ取得部１１は、取得した映像データと音声データから所定の形式の番組データを生成し、生成した番組データを多重化部１３に出力する。所定の形式の番組データは、例えば、ＩＳＯ／ＩＥＣ  ２３００８  Ｐａｒｔ１  ＭＭＴで規定されたＭＭＴＰ（ＭＭＴ  Ｐｒｏｔｏｃｏｌ）パケットである。各ＭＭＴＰパケットには、映像や音声の復号処理を行うことができる単位の映像データ又は音声データが含まれる。番組データ取得部１１は、音声データに関しては、番組を構成する１又は複数の単位（アセットまたはコンポーネント）の音声データを取得する音声データ取得部として機能する。
【００２８】
制御データ取得部１２には、放送番組や放送に伴って提供されるサービスを制御するための制御データを取得する。制御データとして、メディアトランスポート方式の１つであるＭＭＴに関するＭＭＴ−ＳＩが含まれる。ＭＭＴ−ＳＩは、構成情報として放送番組を構成するアセットを示すＭＰＴと、制御情報として当該放送番組に関するＭＨ−ＡＩＴ（ＭＨ−Ａｐｐｌｉｃａｔｉｏｎ  Ｉｎｆｏｒｍａｔｉｏｎ  Ｔａｂｌｅ：アプリケーション情報テーブル）とを含む。ＭＨ−ＡＩＴは、アプリケーションプログラム（以下、アプリケーションと呼ぶ）に関する制御情報と実行に要する付加情報を示すデータである。より具体的には、ＭＨ−ＡＩＴには、アプリケーションやその他の制御データの取得先情報として通信装置２０のＵＲＬ（Ｕｎｉｆｏｒｍ  Ｒｅｓｏｕｒｃｅ  Ｌｏｃａｔｏｒ）や、アプリケーションの起動、停止、等の実行を制御するための情報が含まれる。制御データ取得部１２は、取得した制御データを多重化部１３に出力する。
【００２９】
多重化部１３は、番組データ取得部１１から入力された番組データと制御データ取得部１２から入力された制御データを細分化したＭＭＴＰパケットからなるＭＭＴＰパケット列を多重化データとして変調部１４に出力する。
変調部１４は、多重化部１３から入力された多重化データを所定の変調方式（例えば、ＱＰＳＫ：Ｑｕａｄｒａｔｕｒｅ  Ｐｈａｓｅ  Ｓｈｉｆｔ  Ｋｅｙｉｎｇ）を用いて変調し、ベースバンド信号を生成する。変調部１４は、生成したベースバンド信号を送信部１５に出力する。
送信部１５は、変調部１４から入力されたベースバンド信号で所定の搬送周波数を有する搬送波を変調して、搬送周波数に対応した放送チャンネル帯域の放送信号を生成する。送信部１５は、生成した放送信号を、アンテナ（図示せず）を介して電波（放送波）として放射する。
【００３０】
（通信装置の構成）
次に、本実施形態に係る通信装置２０の構成について説明する。
図５は、本実施形態に係る通信装置２０の構成を示すブロック図である。通信装置２０は、データ入力部２１と、通信部２２と、記憶部２３と、制御部２４と、を含んで構成される。制御部２４は、通信装置２０の機能を実現するための処理を行う。制御部２４は、プログラム取得部２４１と、ダイアログ設定部２４２と、を含んで構成される。制御部２４は、各種の処理を実行するＣＰＵ（Ｃｅｎｔｒａｌ  Ｐｒｏｃｅｓｓｉｎｇ  Ｕｎｉｔ）などの制御デバイスを含んで構成される。制御部２４は、予め記憶部２３に記憶しておいた制御プログラムを読み出し、読み出した制御プログラムに記述される指令で指示される処理を実行してもよい。この実行により、プログラム取得部２４１及びダイアログ設定部２４２の機能が実現される。
【００３１】
データ入力部２１は、通信装置２０の外部から入力される各種のデータを制御部２４に出力する。入力されるデータには、アプリケーション、相対レベルテーブル（後述）などがある。データの入力は、番組や番組を構成するセグメントの切替、その他、イベントの開始時、切替時などデータの差し替えを要する場合になされる。データ入力部２１は、例えば、データ入出力インタフェースである。
通信部２２は、通信伝送路５０を介して接続された受信装置３０との間で各種のデータを送受信する。通信部２２は、例えば、通信インタフェースである。
【００３２】
記憶部２３は、各種のデータを記憶する記憶媒体を含んで構成される。記憶部２３に記憶されるデータには、制御部２４における処理に要するデータ、制御部２４が取得したデータが含まれる。かかるデータは、具体的には、上述のアプリケーションや相対レベルテーブル（後述）を含む。記憶部２３には、番組の属性、例えば、ジャンルに応じて互いに異なる相対レベルが設定された相対レベルテーブルが記憶されてもよい。番組の属性を特定するための情報として、記憶部２３には、ＭＨ−イベント情報テーブル（ＭＨ−ＥＩＴ：ＭＨ−Ｅｖｅｎｔ  Ｉｎｆｏｒｍａｔｉｏｎ  Ｔａｂｌｅ）がさらに記憶されてもよい。ＭＨ−ＥＩＴは、選局情報と、番組の属性の情報とが対応付けて形成された情報テーブルである。なお、ＭＨ−ＥＩＴは、送信装置１０から送信されるＭＭＴ−ＳＩに含まれる。記憶部２３は、例えば、ＲＡＭ（Ｒａｎｄｏｍ  Ａｃｃｅｓｓ  Ｍｅｍｏｒｙ）、ＨＤＤ（Ｈａｒｄ−ｄｉｓｋ  Ｄｒｉｖｅ）を含んで構成される。
【００３３】
プログラム取得部２４１は、データ入力部２１から入力されたアプリケーションを記憶部２３に記憶する。プログラム取得部２４１は、受信装置３０から通信部２２を介して受信したアプリケーション要求信号で指定されるアプリケーションを記憶部２３から読み出す。プログラム取得部２４１は、受信したアプリケーション要求信号に対する応答として読み出したアプリケーションを受信装置３０に通信部２２を介して送信する。
【００３４】
ダイアログ設定部２４２は、受信装置３０から通信部２２を介して音声制御データ要求信号を受信するとき、音声制御データ要求信号に含まれるチャンネル状態情報（後述）に基づいて音声制御データを定める。ダイアログ設定部２４２は、定めた音声制御データを受信装置３０に通信部２２を介して送信する。ダイアログ設定部２４２は、チャンネル状態取得部２４３と、音声制御データ設定部２４４と、を含んで構成される。
【００３５】
チャンネル状態取得部２４３は、受信装置３０から通信部２２を介して音声制御データ要求信号を受信する。音声制御データ要求信号には、チャンネル状態情報が含まれる。チャンネル状態情報は、機器ＩＤ（Ｉｄｅｎｔｉｆｉｅｒ）、受信チャンネル情報、音声チャンネル情報及び選局情報を含んで構成される。機器ＩＤは、個々の受信装置３０を識別するための識別情報である。受信チャンネル情報は、受信装置３０において放送波を受信する周波数に対応する放送チャンネルを示す。音声チャンネル情報は、受信装置３０において選択された音声チャンネルがダイアログ専用チャンネルであるか否かを示す情報である。放送されている番組において複数のダイアログ専用チャンネルが設定されている場合には、音声チャンネル情報には、設定されたダイアログ専用チャンネルのいずれかを特定する情報が含まれてもよい。選局情報には、イベント識別（ｅｖｅｎｔ＿ｉｄ）とサービス識別（ｓｅｒｖｉｃｅ＿ｉｄ）が含まれる。イベント識別は、１つの情報サービスで提供される個々のイベント、即ち、番組を識別する識別情報である。サービス識別は、ＴＬＶストリーム、即ち上述した放送波で伝送される送信信号が示す個々の情報サービスを識別する識別情報である。従って、選局情報は、その時点において受信されている番組を示す。
【００３６】
音声制御データ設定部２４４は、音声チャンネル情報がダイアログ専用チャンネルを示すとき、記憶部２３に予め記憶されたＭＨ−ＥＩＴを参照してチャンネル状態情報に含まれる選局情報が示す番組の属性を定める。音声制御データ設定部２４４は、定めた番組の属性に対応する相対レベルテーブルを判定し、判定した相対レベルテーブルを参照してチャンネル状態情報に含まれるダイアログ専用チャンネルに対応する相対レベルを定める。音声制御データ設定部２４４は、当該ダイアログ専用チャンネルについて定めた相対レベルを示す音声制御データを生成する。なお、属性によっては、相対レベルテーブルが設定されていない属性がある。そのような属性については、音声制御データ設定部２４４は、音声制御データとしてユーザ設定を示す音声制御データを生成する。音声制御データ設定部２４４は、生成した音声制御データを受信装置３０に通信部２２を介して送信する。
【００３７】
なお、番組、番組の一部であるコーナ（セグメントとも呼ばれる）などのイベントの切替により、通信装置２０に提供され記憶部２３に記憶される種々のデータが更新されることがある。更新されるデータには、少なくとも相対レベルテーブルが含まれる。その場合、音声制御データ設定部２４４は、更新された相対レベルテーブルを参照し、その時点までにチャンネル状態取得部２４３が取得した最新のチャンネル状態情報に含まれるダイアログ専用チャンネルに対応する相対レベルを定める。音声制御データ設定部２４４は、定めたダイアログ専用チャンネルに係る相対レベルを示す音声制御データを生成し、生成した音声制御データを受信装置３０に通信部２２を介して送信する。
【００３８】
（相対レベルテーブル）
次に、相対レベルテーブルの例について説明する。図６は、相対レベルテーブルの例を示す図である。相対レベルテーブルは、番組の属性毎に生成され、音声チャンネル毎の相対レベルを示すデータである。この例では、１ｃｈ、２ｃｈ、３ｃｈは、図２に示す前方正面（Ｃ）、前方左（Ｌ）、前方右（Ｒ）の各チャネルを示す。図６（ａ）は、番組の属性が通常（スタンダード）の音楽番組に係る相対レベルテーブルである。図６（ａ）に示す例では、１ｃｈ、２ｃｈ、３ｃｈの相対レベルは、それぞれ０．０ｄＢ、＋１．０ｄＢ、−１．０ｄＢである。従って、受信装置３０は、通信装置２０から受信した音声制御データが示す相対レベルを、その時点において選択されたダイアログ専用チャンネルの相対レベルとして定める。
【００３９】
図６（ｂ）は、番組の属性がライブの音楽番組に係る相対レベルテーブルである。図６（ｂ）に示す例では、１ｃｈ、２ｃｈ、３ｃｈの相対レベルは、それぞれ０．０ｄＢ、＋１．５ｄＢ、−１．５ｄＢである。図６（ａ）に示す例よりも、チャンネル間における相対レベルの差が大きい。その他の属性に係る音楽番組については、相対レベルテーブルは設定されていない。その場合には、受信装置３０は、通信装置２０からユーザ設定を示す音声制御データを受信し、その時点において設定されている相対レベルが用いられる。
【００４０】
（受信装置の構成）
次に、本実施形態に係る受信装置３０の構成について説明する。
図７は、本実施形態に係る受信装置３０の構成を示すブロック図である。受信装置３０は、放送受信部３１と、通信部３２と、拡声部３３と、入力部３４と、表示部３５と、記憶部３６と、制御部３７と、を含んで構成される。制御部３７は、受信装置３０の機能を実現する処理を行う。
【００４１】
放送受信部３１は、放送伝送路４０を介して送信装置１０からの多重化データを搬送する放送波を受信する。放送受信部３１は、例えば、チューナである。放送受信部３１は、放送伝送路４０を介して受信した放送波による放送チャンネル帯域の放送信号を、選局される放送チャンネルに対応する搬送周波数でダウンコンバートして、ベースバンド信号を生成する。放送チャンネルは、入力部３４から入力される操作信号で指示される。放送受信部３１は、生成したベースバンド信号を制御部３７に出力する。
通信部３２は、通信伝送路５０を介して接続された通信装置２０との間で各種のデータを送受信する。通信部３２は、例えば、通信インタフェースである。
拡声部３３は、制御部３７から入力される音声信号に基づく音声を再生する。拡声部３３は、例えば、複数のスピーカを含んで構成される。個々のスピーカは、各チャンネルの音声を再生するために用いられる。拡声部３３は、６個のスピーカを備えることで５．１ｃｈサラウンドの音声を再生することができる。
【００４２】
入力部３４は、ユーザの操作入力に応じた操作信号を取得し、取得した操作信号を制御部３７に出力する。他の機器から無線又は有線で伝送された操作信号が入力され、入力された操作信号を制御部３７に出力する入出力インタフェース又は通信インタフェースを含んで構成されてもよい。他の機器は、例えば、専用の遠隔制御機器（リモートコントローラ）、汎用の携帯電話機（いわゆるスマートフォンを含む）などの電子機器である。入力部３４は、スイッチ、ボタン、つまみなどの物理的な部材を含んで構成されてよいし、マウス、タッチセンサなどの汎用の部材を含んで構成されてもよい。
【００４３】
表示部３５は、制御部３７から取得した表示データ（映像信号）が示す映像を表示する。表示部３５は、例えば、液晶ディスプレイ、有機ＥＬ（Ｅｌｅｃｔｒｏ−ｌｕｍｉｎｅｓｃｅｎｃｅ）ディスプレイなどのディスプレイである。
記憶部３６は、ＲＡＭ、ＲＯＭなどの記憶媒体を含んで構成される。記憶媒体として、その他に不揮発メモリ、ＨＤＤなどを含んでもよい。記憶部３６は、各種のデータを記憶する記憶媒体を含んで構成される。記憶部３６に記憶されるデータには、制御部３７が行う処理に要するデータ、制御部３７により取得されたデータが含まれる。
【００４４】
制御部３７は、復調部３７１と、分離部３７２と、音声処理部３７３と、通知処理部３７４と、映像処理部３７５と、ダイアログ処理部３７６と、を含んで構成される。制御部３７は、各種の処理を実行するＣＰＵ（Ｃｅｎｔｒａｌ  Ｐｒｏｃｅｓｓｉｎｇ  Ｕｎｉｔ）などの制御デバイスを含んで構成される。制御部３７は、予め記憶部３６に記憶しておいた制御プログラムを読み出し、読み出した制御プログラムに記述される指令で指示される処理を実行してもよい。この実行により、復調部３７１、分離部３７２、音声処理部３７３、通知処理部３７４、映像処理部３７５及びダイアログ処理部３７６の機能が実現される。例えば、通知処理部３７４、ダイアログ処理部３７６のチャンネル状態取得部３７６３、音声設定部３７６４の機能は、音声状態変更通知リスナＡＰＩ（Ａｐｐｌｉｃａｔｉｏｎ  Ｉｎｔｅｒｆａｃｅ）、音声情報取得ＡＰＩ、音声設定ＡＰＩを介して利用可能である。
【００４５】
復調部３７１は、放送受信部３１から入力されたベースバンド信号について所定の復調方式を用いて復調する。復調部３７１において用いられる復調方式は、送信装置１０で用いられた変調方式に対応する復調方式である。復調部３７１は、復調により得られた多重化データを分離部３７２に出力する。
【００４６】
分離部３７２には、放送で伝送された多重化データが復調部３７１から入力される。分離部３７２は、放送で伝送された多重化データから制御データと番組データを抽出する。分離部３７２は、制御データに含まれる放送番組の構成情報としてＭＰＴに基づいて番組データの要素である音声データと映像データに分離する。分離部３７２は、分離した音声データについてＭＰＴで指定される再生モードについてチャンネル毎の音声データを音声処理部３７３とダイアログ処理部３７６に出力し、映像データを映像処理部３７５に出力する。分離部３７２は、制御データに含まれるＭＰＴとＭＨ−ＥＩＴをダイアログ処理部３７６に出力する。また、分離部３７２は、制御データに含まれる制御情報としてＭＨ−ＡＩＴを抽出し、抽出したＭＨ−ＡＩＴをダイアログ処理部３７６に出力する。
【００４７】
音声処理部３７３は、拡声部３３に再生させる音声を示す音声信号を取得する。音声処理部３７３は、音声復号部３７３１と、音量制御部３７３２と、を含んで構成される。
音声復号部３７３１は、分離部３７２から入力されたチャンネル毎の音声データについて、それぞれ所定の音声復号方式を用いて復号し、復号により得られた各チャンネルの音声信号を音量制御部３７３２に出力する。所定の音声復号方式は、音声データの生成に用いられた音声符号化方式に対応する音声復号方式である。
【００４８】
音量制御部３７３２は、音声復号部３７３１から入力された各チャンネルの音声信号に係る音量を制御する。入力部３４から入力される操作信号に基づいてダイアログ専用チャンネルの音量（以下、ダイアログ音量）と他チャンネルの音量を個々に制御する。具体的には、音量制御部３７３２は、図３を参照して説明したように操作信号で指定される相対レベルと共通チャンネル音量に基づいてダイアログ音量と他チャンネル音量を定める。具体的には、定められた相対レベルが０ｄＢ以上である場合には、音量制御部３７３２は、ダイアログ音量を所定の基準値（例えば、０ｄＢ）と定め、他チャンネル音量を所定の基準値から相対レベルを減算して得られる値に定める。読み取った相対レベルが０ｄＢ未満である場合には、音量制御部３７３２は、ダイアログ音量を所定の基準値に相対レベルを加算した値に定め、他チャンネル音量を所定の基準値に定める。そして、音量制御部３７３２は、ダイアログ専用チャンネルの音声信号の信号値にダイアログ音量に対応する増幅率を乗算し、その他のチャンネル音声信号の信号値に他チャンネル音量に対応する増幅率を乗算する。音量制御部３７３２は、音量を制御した各チャンネルの音声信号を拡声部３３に出力することにより、各チャンネルの音声を再生させる。
【００４９】
なお、複数のダイアログ専用チャンネルが検出される場合には、操作信号によりダイアログ音量の制御対象のダイアログ専用チャンネルが指定されることがある。その場合には、音量制御部３７３２は、指定されたダイアログ専用チャンネルについてダイアログ音量を定め、その他のダイアログ専用チャンネルのダイアログ音量として、他チャンネル音量に定める。
【００５０】
本実施形態では、ダイアログ処理部３７６のダイアログ検出部３７６２においてダイアログ音声があると判定され、かつ、ダイアログ専用チャンネルの相対レベルが、ダイアログ処理部３７６の音声設定部３７６４から入力される音声制御データで指示される場合がある。その場合には、音量制御部３７３２は、音声制御データで指示される相対レベルを、ダイアログ音量と他チャンネル音量を定める際に用いる。音声制御データでユーザ設定が指示される場合には、音量制御部３７３２は、入力部３４から入力される操作信号で指示される相対レベルを、ダイアログ音量と他チャンネル音量を定めるために用いる。なお、入力される操作信号で相対レベルが指示されない場合には、音量制御部３７３２は、音声データの付加情報に含まれるダイアログ制御情報が示すデフォルトの相対レベルを、ダイアログ音量と他チャンネル音量を定める際に用いる。
なお、ダイアログ音声の有無に関わらず、音量制御部３７３２は、操作信号が示す共通チャンネル音量に基づいて全チャンネルの音量を一斉に制御する。ダイアログ音声がないと判定される場合には、音量制御部３７３２は、相対レベルに基づく音量の制御を行わない。
【００５１】
通知処理部３７４は、ダイアログ検出部３７６２においてダイアログ音声が検出されるとき、ダイアログ音声に関する通知情報を表示部３５に表示させる。通知処理部３７４は、例えば、記憶部３６に予め記憶しておいた通知画面データを読み取り、読み取った通知画面データを映像処理部３７５の表示合成部３７５２に出力することにより、通知画面データが示す通知画面を表示部３５に表示させる。通知画面には、ダイアログ音声に関する通知情報として、例えば、放送番組におけるダイアログ音声の提供、ダイアログ音量の調節に係る操作方法の案内、ダイアログ音声に関する解説が含まれてもよい。また、ダイアログ検出部３７６２から番組の属性を示す属性情報が入力されるとき、通知処理部３７４は、属性情報に対応づけられた通知情報もしくは属性情報が付加された通知情報を表示部３５に表示させてもよい。属性情報には、ダイアログ音声の属性として、例えば、ダイアログ音声の種類やダイアログ音声の言語が含まれてもよい。これらの属性情報は、分離部３７２からの音声データにダイアログ制御情報が付加されている場合、ダイアログ検出部３７６２において当該ダイアログ制御情報から抽出されてもよい。
【００５２】
映像処理部３７５は、表示部３５に表示させる映像を示す表示データを取得する。映像処理部３７５は、映像復号部３７５１と、表示合成部３７５２と、を含んで構成される。
映像復号部３７５１は、分離部３７２から入力される映像データのストリームから映像データを抽出する。映像復号部３７５１は、抽出した映像データを所定の映像復号方式を用いて復号し、復号した映像データを生成する。映像復号方式は、映像データの生成に用いられた映像符号化方式に対応する映像復号方式である。復号した映像データは、各時刻における映像（フレーム画像）を形成する信号値を示すデータである。映像復号部３７５１は、復号した映像データを表示合成部３７５２に出力する。
表示合成部３７５２は、映像復号部３７５１から入力された映像データが示す映像と、通知処理部３７４から入力された通知画面データ又はその他の画面データが示す画面とを合成する。表示合成部３７５２は、合成により得られた合成映像を示す表示データを表示部３５に出力する。
【００５３】
ダイアログ処理部３７６は、分離部３７２から入力された音声データについてダイアログ音声を検出し、検出したダイアログ音声を再生するための処理を行う。ダイアログ処理部３７６は、プログラム処理部３７６１、ダイアログ検出部３７６２、チャンネル状態取得部３７６３及び音声設定部３７６４を含んで構成される。
【００５４】
プログラム処理部３７６１は、分離部３７２からＭＨ−ＡＩＴを取得し、取得したＭＨ−ＡＩＴに基づいてアプリケーションを取得し、取得したアプリケーションに記述された命令で指示される処理を制御する。なお、以下の説明ではアプリケーションに記述された命令で指示される処理を行わせることを、「アプリケーションを実行する」と呼ぶ。
プログラム処理部３７６１は、ＭＨ−ＡＩＴで指示されたアプリケーションを取得するためのアプリケーション要求信号を生成する。プログラム処理部３７６１は、取得先情報としてＭＨ−ＡＩＴが示すＵＲＬで表される通信装置２０に生成したアプリケーション要求信号を、通信部３２を介して送信する。プログラム処理部３７６１は、その応答として通信装置２０から通信部３２を介してアプリケーションを受信する。プログラム処理部３７６１は、ＭＨ−ＡＩＴに基づいて受信したアプリケーションの実行を開始させ、その実行を停止させる。
【００５５】
プログラム処理部３７６１は、例えば、放送番組の一部を構成する番組データを当該アプリケーションから抽出する。また、プログラム処理部３７６１は、当該アプリケーションで指定された取得先から通信部３２を介して番組データを取得することがある。プログラム処理部３７６１は、取得した番組データを分離部３７２に出力する。分離部３７２は、プログラム処理部３７６１から入力された番組データから音声データと映像データを分離し、分離した音声データを音声処理部３７３に出力し、分離した映像データを映像処理部３７５に出力する。よって、当該アプリケーションにより指定されたコンテンツが提示される。音声データには、１または複数チャンネルのダイアログ音声の音声データが含まれることがある。
【００５６】
ダイアログ検出部３７６２は、分離部３７２から入力されたＭＰＴに基づいてダイアログ音声の有無を検出する。例えば、ＭＰＴが示す音声データについてＭＨ−音声コンポーネント記述子のコンポーネント種別において最上位の１ビットが「１」であるとき、ダイアログ検出部３７６２は、ダイアログ制御情報があると判定する。このとき、ダイアログ検出部３７６２は、当該音声データにダイアログ音声に係る音声データが含まれていると判定する。ＭＨ−音声コンポーネント記述子のコンポーネント種別において最上位の１ビットが「１」であるとき、ダイアログ検出部３７６２は、ダイアログ制御情報があると判定する。このとき、ダイアログ検出部３７６２は、分離部３７２から入力される音声データにダイアログ音声に係る音声データが含まれていると判定する。ダイアログ検出部３７６２は、音声データに付加されたダイアログ制御情報を音量制御部３７３２及び通知処理部３７４に出力する。
【００５７】
チャンネル状態取得部３７６３は、その時点におけるチャンネル状態情報を取得する。具体的には、チャンネル状態取得部３７６３は、記憶部３６から自装置の予め記憶された機器ＩＤを読み出す。チャンネル状態取得部３７６３には、入力部３４から放送チャンネルを示す操作信号が入力される。チャンネル状態取得部３７６３には、入力部３４からダイアログ専用チャンネルを示す操作信号が入力される。一度に複数のダイアログ専用チャンネルが提供される場合には、いずれかのダイアログ専用チャンネルを示す操作信号が入力されることがある。チャンネル状態取得部３７６３は、その時点で受信している番組を識別する選局情報を入力部３４から入力されるＭＨ−ＥＩＴから抽出する。チャンネル状態取得部３７６３は、機器ＩＤ、放送波を受信する放送チャンネルを示す放送チャンネル情報、選択されるダイアログ専用チャンネルを示す音声チャンネル情報及び選局情報を含むチャンネル状態情報を生成する。チャンネル状態取得部３７６３は、生成したチャンネル状態情報を音声設定部３７６４に出力する。
【００５８】
音声設定部３７６４は、チャンネル状態取得部３７６３から入力されたチャンネル状態情報を含む音声制御データ要求信号を通信装置２０に通信部３２を介して送信する。音声設定部３７６４が音声制御データ要求信号を送信するタイミングは、例えば、電源投入による起動直後、アプリケーションの受信直後など初期のタイミングである。その他、音声設定部３７６４が音声制御データ要求信号を送信するタイミングは、チャンネル状態情報の一部又は全部の構成要素、例えば、音声チャンネル情報、時間経過もしくはチャンネルの切替によるダイアログ音声を含む番組に切替えられる時点である。
音声設定部３７６４は、通信装置２０から通信部３２を介して音声制御データを受信する。音声設定部３７６４は、受信した音声制御データを音量制御部３７３２に設定する。音量制御部３７３２は、設定された音声制御データで指示される相対レベルをダイアログ音量と他チャンネル音量を定めるために用いる。音声設定部３７６４が音声制御データを受信するタイミングは、音声制御データ要求信号の送信直後と、イベントの切替直後である。
【００５９】
（通知画面）
次に、通知画面の例について説明する。
図８は、通知画面の例を示す図である。図８に示す例では、通知画面は、表示部３５の表示領域の左下端から所定範囲内の領域に表示される。この領域に表示されることにより、ユーザによる映像の視認が妨げられない。通知画面に含まれるメッセージＭｇ２として「ダイアログ対応放送です。」とのメッセージと、「黄」の文字で囲まれる円と、その円に隣接した「詳細」とのメッセージを含む。「ダイアログ対応放送です。」とのメッセージは、放送番組においてダイアログ音声が提供されることを示すメッセージである。従って、その円に隣接した「詳細」とのメッセージは、リモートコントローラＲｃ（図９）が備える黄ボタンＹｂｔの押下により、提供されるダイアログ音声に関するより詳細な情報が表示されることを表す。ユーザの操作により黄ボタンＹｂｔが押下されるとき、リモートコントローラＲｃは、詳細情報の表示を示す操作信号を受信装置３０の入力部３４に送信する。通知処理部３７４は、入力部３４からの操作信号の入力に応じて、当該ダイアログ音声に関する詳細情報を表示合成部３７５２に出力することにより、表示部３５に表示させる。
【００６０】
詳細情報は、記憶部３６に予め記憶された情報、ダイアログ検出部３７６２がダイアログ制御情報から抽出した情報のいずれでもよい。予め記憶された情報は、例えば、受信装置３０の取り扱い方法を示す取扱説明書データ（電子マニュアル）である。これにより、ユーザは取扱説明書データに誘導されるので、受信装置３０の取り扱いについてより詳細な情報に容易に接することができる。ダイアログ制御情報から抽出した情報は、例えば、ダイアログ音声に関する解説を示すダイアログ解説情報である。これにより、番組制作者や放送事業者が制作した、より詳細なダイアログ音声に関する解説が伝達される。ダイアログ解説情報として、放送番組の構成やダイアログ音声の位置づけに応じた説明が含まれてもよい。例えば、スポーツ番組において、複数の解説者による解説音声がそれぞれダイアログ音声として含まれる場合、それぞれの解説者の略歴、主たる解説対象の選手、チームの解説やそれぞれの選手、チームの立場に立った競技の概要や、それらのダイアログ音声の切り替え方法などの説明が含まれてもよい。
【００６１】
なお、リモートコントローラＲｃは、ダイアログ音量を調整するためのダイアログボタンＤｂｔを備える。ダイアログボタンＤｂｔは、共通チャンネル音量を調整するための音量ボタンＶｂｔとは別個に設けられる。図９に示す例では、ダイアログボタンＤｂｔ、音量ボタンＶｂｔの近傍には、それぞれ「ダイアログ」、「ＶＯＬ」の文字が付されている。ユーザの操作によりダイアログボタンＤｂｔが押下されるとき、リモートコントローラＲｃは、相対レベルを示す操作信号を受信装置３０の入力部３４に無線（例えば、赤外線）で送信する。音量制御部３７３２、上述したように、入力部３４からの操作信号が示す相対レベルに基づいてダイアログ音量を制御する。なお、本実施形態では「押下」とは、物理的なボタンが現実に押下されることの他、画面上に表示されたボタン又はその表示領域が操作信号により指示されることも意味する。
【００６２】
リモートコントローラＲｃが備える音声切替ボタンＡｓｗは、押下により再生対象の音声（再生対象音声）の切り替えを指示するためのボタンである。音声切替ボタンＡｓｗが機能するのは、再生対象音声が複数存在する場合である。本実施形態では、例えば、ダイアログ音声の音声データと通常の放送音声の音声データとが並列に伝送される場合、複数のダイアログ音声の音声データが並列に伝送される場合、などがある。音声処理部３７３は、音声切替ボタンＡｓｗが押下される都度、複数の伝送音声のいずれか又はそれらの組み合わせを重ね合わせた音声を再生対象音声として巡回的に選択する。
【００６３】
次に、本実施形態に係る情報処理について説明する。
図１０は、本実施形態に係る情報処理を示すシーケンス図である。
（ステップＳ１０１）通信装置２０のプログラム取得部２４１は、受信装置３０から受信したアプリケーション要求信号で指定されるアプリケーションを記憶部２３から読み出し、読み出したアプリケーションを受信装置３０に送信する。その後、ステップＳ１０２に進む。
（ステップＳ１０２）受信装置３０のプログラム処理部３７６１は、分離部３７２から入力されたＭＨ−ＡＩＴに基づいて、通信装置２０から受信したアプリケーションの実行を開始（起動）する。その後、ステップＳ１０３の処理に進む。
【００６４】
（ステップＳ１０３）受信装置３０のチャンネル状態取得部３７６３は、自装置の機器ＩＤ、放送チャンネル情報、音声チャンネル情報及び選局情報（ＥｖｅｎｔＩＤ、ＳｅｒｖｉｃｅＩＤ）を取得し、これらの情報を含むチャンネル状態情報を構成する。音声設定部３７６４は、チャンネル状態情報を付加した音声制御データ要求信号を通信装置２０に送信する。その後、ステップＳ１０４の処理に進む。なお、ステップＳ１０３の処理は、例えば、ｇｅｔコマンドで指定される。
【００６５】
（ステップＳ１０４）通信装置２０のチャンネル状態取得部２４３は、受信装置３０から受信した音声制御データ要求信号からチャンネル状態情報を抽出する。音声制御データ設定部２４４は、チャンネル状態情報に含まれる音声チャンネル情報がダイアログ専用チャンネルを示すとき、ＭＨ−ＥＩＴを参照して選局情報が示す番組の属性を定める。音声制御データ設定部２４４は、定めた番組の属性に対応する相対レベルテーブルを参照してダイアログ専用チャンネルに対応する相対レベルを定める。音声制御データ設定部２４４は、当該ダイアログ専用チャンネルについて定めた相対レベルを示す音声制御データを生成し、生成した音声制御データを受信装置３０に送信する。その後、ステップＳ１０５の処理に進む。ステップＳ１０５の処理は、例えば、ｓｅｔコマンドで指定される。
【００６６】
（ステップＳ１０５）受信装置３０の音声設定部３７６４は、通信装置２０から受信した音声制御データを音量制御部３７３２に設定する。音量制御部３７３２は、設定された音声制御データで指定される相対レベルと、その時点までに定められた共通チャンネル音量に基づいてダイアログ音量と他チャンネル音量を定める。その後、ステップＳ１１３の処理に進む。
【００６７】
（ステップＳ１１３）受信装置３０のチャンネル状態取得部３７６３は、取得したチャンネル状態情報の一部又は全部が変更されたとき、変更されたチャンネル状態情報を含むチャンネル状態情報を構成する。音声設定部３７６４は、構成したチャンネル状態情報を付加した音声制御データ要求信号を通信装置２０に送信する。その後、ステップＳ１０４の処理とステップＳ１０５の処理が行われる。よって、受信装置３０の音声設定部３７６４は、変更されたチャンネル状態情報に応じた相対レベルを示す音声制御データを音量制御部３７３２に設定する。その後、ステップＳ１２３の処理に進む。
【００６８】
（ステップＳ１２３）通信装置２０の記憶部２３において、イベントの切替により、少なくとも相対レベルテーブルを含むデータが更新される。その後、ステップＳ１２４の処理に進む。
（ステップＳ１２４）通信装置２０の音声制御データ設定部２４４は、更新された相対レベルテーブルを参照し、その時点までにチャンネル状態取得部２４３が取得した最新のチャンネル状態情報に含まれるダイアログ専用チャンネルに対応する相対レベルを定める。音声制御データ設定部２４４は、定めたダイアログ専用チャンネルに係る相対レベルを示す音声制御データを受信装置３０に送信する。その後、ステップＳ１０５の処理に進む。
【００６９】
以降、ステップＳ１１３、Ｓ１０４及びＳ１０５の処理と、ステップＳ１２３、Ｓ１２４及びＳ１０５の処理が繰り返される。ステップＳ１１３、Ｓ１０４及びＳ１０５の処理と、ステップＳ１２３、Ｓ１２４及びＳ１０５の処理は、一般に必ずしも順次に行われない。例えば、ステップＳ１２３、Ｓ１２４及びＳ１０５の処理が、ステップＳ１１３、Ｓ１０４及びＳ１０５の処理よりも先行することがある。また、ステップＳ１１３、Ｓ１０４及びＳ１０５の処理が複数回繰り返された後で、ステップＳ１２３、Ｓ１２４及びＳ１０５の処理が行われることも、ステップＳ１２３、Ｓ１２４及びＳ１０５の処理が複数回繰り返された後でステップＳ１１３、Ｓ１０４及びＳ１０５の処理が行われることもある。
【００７０】
また、ステップＳ１１３において生成、送信されるチャンネル状態情報は、その直前に取得されるチャンネル状態情報からの差分と機器ＩＤが含まれていれば、その他の要素が省略されてもよい。
【００７１】
以上に説明したように、本実施形態に係る受信装置３０は、放送番組において提供される複数のチャンネルの音声のうち、ダイアログ音声を提供するダイアログ専用チャンネルの選択状態を示すチャンネル状態情報を取得するチャンネル状態取得部３７６３を備える。また、受信装置３０は、ダイアログ専用チャンネルの音量と、複数のチャンネルの他のチャンネルの音量をそれぞれ制御する音声処理部３７３を備える。また、受信装置３０は、チャンネル状態情報が示すダイアログ専用チャンネルの音量の制御データを通信装置２０に要求し、通信装置２０から受信した音声制御データに基づいてダイアログ専用チャンネルの音量を定める音声設定部３７６４を備える。
この構成により、放送番組の受信中に選択されたダイアログ専用チャンネルに応じた音量が通信装置２０から指定される。そのため、ユーザがダイアログ音声の音量を調整する必要がなくなる。また、ダイアログ音声の音量として、放送事業者又は番組制作者の意図に沿った音量が設定される。よって、ダイアログ音声がより有用に提供される。
【００７２】
また、チャンネル状態情報は、受信している放送番組を示す選局情報を示す。この構成により、視聴されている放送番組に応じたダイアログ音声の音量が設定される。
【００７３】
また、音声設定部３７６４は、チャンネル状態情報が変更されるとき、音声制御データを要求する。この構成により、チャンネル状態の変化に適応したダイアログ音声の音量が設定される。
【００７４】
また、音声設定部３７６４は、更新されたダイアログ音声の制御データを通信装置２０から受信し、当該制御データに基づいてダイアログ専用チャンネルの音量を設定する。この構成により、チャンネル状態の変化の有無に関わらず、放送事業者又は番組制作者の意図に沿って更新されたダイアログ音声の音量が設定される。
【００７５】
また、受信装置３０は、受信している放送番組において前記ダイアログ音声が検出されるとき、前記ダイアログ音声の提供を通知部に通知させる通知処理部３７４を備える。この構成により、ユーザは受信している放送番組においてダイアログ音声が提供されることを容易に認識することができる。
【００７６】
（第２の実施形態）
次に、本発明の第２の実施形態について説明する。第１の実施形態と同一の構成については同一の符号を付してその説明を援用する。
図１１は、本実施形態に係る放送システム１ａの概略ブロック図である。
放送システム１ａは、通信装置２０ａと、受信装置３０ａとを含んで構成されるＩＰＴＶ（Ｉｎｔｅｒｎｅｔ  Ｐｒｏｔｏｃｏｌ  Ｔｅｌｅｖｉｓｉｏｎ）システムである。放送システム１ａでは、一般に通信装置２０ａ及び受信装置３０ａが、それぞれ複数個存在しうるが、通信装置２０ａの個数及び受信装置３０ａの個数が、それぞれ１個である場合を例にする。
【００７７】
通信伝送路５０ａは、通信装置２０ａと受信装置３０ａとの間で各種のデータを双方向的に伝送し、これに並行して通信装置２０ａから受信装置３０ａへの放送信号を一方的に伝送する伝送路である。通信伝送路５０ａは、データの伝送において所定の通信プロトコル（例えば、ＴＣＰ／ＩＰ：Ｔｒａｎｓｍｉｓｓｉｏｎ  Ｃｏｎｔｒｏｌ  Ｐｒｏｔｏｃｏｌ／Ｉｎｔｅｒｎｅｔ  Ｐｒｏｔｏｃｏｌ）を用いるインターネットを含んで構成される。
【００７８】
通信装置２０ａは、通信装置２０（図５）のデータ入力部２１、通信部２２、記憶部２３及び制御部２４と、送信装置１０（図４）の番組データ取得部１１、制御データ取得部１２、多重化部１３及び変調部１４と、を含んで構成される。通信部２２は、変調部１４から入力される放送信号を受信装置３０に通信伝送路５０ａを介して送信する。
受信装置３０ａは、通信部３２、拡声部３３、入力部３４、表示部３５、記憶部３６及び制御部３７を含んで構成される。即ち、受信装置３０ａでは、受信装置３０のうち放送受信部３１に相当する構成が省略される。通信部３２は、通信装置２０ａから通信伝送路５０ａを介して放送信号を受信し、受信した放送信号を復調部３７１に出力する。
【００７９】
この構成により、放送波を用いず通信網を介して放送番組が提供される場合であっても、放送番組の受信中に選択されたダイアログ専用チャンネルに応じた音量が通信装置２０から指定される。また、ダイアログ音声の音量として、放送事業者又は番組制作者の意図に沿った音量が設定される。
【００８０】
なお、本発明は上述した各実施形態に限定されるものではなく、特許請求の範囲に示した範囲で種々の変更が可能であり、異なる実施形態にそれぞれ開示された技術的構成を適宜組み合わせて得られる実施形態についても本発明の技術的範囲に含まれる。
また、本発明の各構成要素は、任意に取捨選択することができ、取捨選択した構成を具備する発明も本発明に含まれるものである。
【００８１】
上述した実施形態では、主に音声モードが５．１ｃｈサラウンドである場合を例にしたが、その他の多チャンネル音声に係る音声モードが用いられてもよい。音声モードは、例えば、７．１ｃｈサラウンド、２２．２ｃｈサラウンドであってもよい。また、上述した実施形態は、５．１ｃｈ、７．１ｃｈ、２２．２ｃｈなどの多チャンネルのサラウンド音声をより少ないチャンネルの音声モード（例えば、２．０ｃｈステレオ、２．１ｃｈステレオ）にダウンミックスする手段を備えた再生システムとして実現されてもよい。このような再生システムについても、ユーザに独立に音量を調整することが可能なダイアログ音声の存在を認知させ、その利用を促すことができる。
また、受信装置３０、３０ａとの間で各種のデータが送受信可能であれば拡声部３３、入力部３４、及び表示部３５のいずれか又はそれらの組み合わせが受信装置３０、３０ａの本体から省略され、別体として構成されてもよい。
【００８２】
上述した実施形態では、多重化・伝送方式としてＭＭＴ・ＴＬＶによるメディアトランスポート方式が用いられる場合を例にしたが、その他の多重化・伝送方式が用いられてもよい。例えば、ＭＰＥＧ−２システムで規定された方式が用いられてもよい。
【００８３】
また、上述した実施形態における通信装置２０、２０ａ、受信装置３０、３０ａの一部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、認識データ伝送装置に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよい。
【００８４】
なお、本発明は次の態様でも実施することができる。
（１）放送番組において提供される複数のチャンネルの音声のうち、ダイアログ音声を提供するダイアログ専用チャンネルの選択状態を示すチャンネル状態情報を取得するチャンネル状態取得部と、前記ダイアログ専用チャンネルの音量と、前記複数のチャンネルの他のチャンネルの音量をそれぞれ制御する音声処理部と、前記チャンネル状態情報が示す前記ダイアログ専用チャンネルの音量の制御データを通信装置に要求し、前記通信装置から受信した制御データに基づいて前記ダイアログ専用チャンネルの音量を定める音声設定部と、を備える受信装置。
【００８５】
（２）前記チャンネル状態情報は、受信している放送番組を示す選局情報を含む（１）の受信装置。
【００８６】
（３）前記音声設定部は、前記チャンネル状態情報が変更されるとき、前記制御データを前記通信装置に要求する（１）または（２）の受信装置。
【００８７】
（４）前記音声設定部は、更新された前記ダイアログ音声の制御データを前記通信装置から受信し、当該制御データに基づいて前記ダイアログ専用チャンネルの音量を設定する（１）から（３）のいずれかの受信装置。
【００８８】
（５）受信している放送番組において前記ダイアログ音声が検出されるとき、前記ダイアログ音声の提供を通知部に通知させる通知処理部を、さらに備える（１）から（４）のいずれかの受信装置。
【００８９】
（６）通信装置と受信装置とを備える放送システムであって、前記通信装置は、放送番組において提供される複数のチャンネルの音声のうち、ダイアログ音声を提供するダイアログ専用チャンネルの選択状態を示すチャンネル状態情報を前記受信装置から受信し、前記チャンネル状態情報に基づいて定めた前記ダイアログ専用チャンネルの音量の制御データを前記受信装置に送信し、前記受信装置は、前記チャンネル状態情報を取得するチャンネル状態取得部と、前記ダイアログ専用チャンネルの音量と、前記複数のチャンネルの他のチャンネルの音量をそれぞれ制御する音声処理部と、前記チャンネル状態情報が示す前記ダイアログ専用チャンネルの音量の制御データを前記通信装置に要求し、前記通信装置から受信した制御データに基づいて前記ダイアログ専用チャンネルの音量を定める音声設定部とを備える放送システム。
【００９０】
（７）受信装置における受信方法において、放送番組において提供される複数のチャンネルの音声のうち、ダイアログ音声を提供するダイアログ専用チャンネルの選択状態を示すチャンネル状態情報を取得するチャンネル状態取得ステップと、前記ダイアログ専用チャンネルの音量と、前記複数のチャンネルの他のチャンネルの音量をそれぞれ制御する音声処理ステップと、前記チャンネル状態情報が示す前記ダイアログ専用チャンネルの音量の制御データを通信装置に要求し、前記通信装置から受信した制御データに基づいて前記ダイアログ専用チャンネルの音量を定める音声設定ステップと、を有する受信方法。
【００９１】
（８）受信装置のコンピュータに、放送番組において提供される複数のチャンネルの音声のうち、ダイアログ音声を提供するダイアログ専用チャンネルの選択状態を示すチャンネル状態情報を取得するチャンネル状態取得ステップと、前記ダイアログ専用チャンネルの音量と、前記複数のチャンネルの他のチャンネルの音量をそれぞれ制御する音声処理ステップと、前記チャンネル状態情報が示す前記ダイアログ専用チャンネルの音量の制御データを通信装置に要求し、前記通信装置から受信した制御データに基づいて前記ダイアログ専用チャンネルの音量を定める音声設定ステップと、を実行させるためのプログラム。
【符号の説明】
【００９２】
１、１ａ…放送システム、１０…送信装置、１１…番組データ取得部、１２…制御データ取得部、１３…多重化部、１４…変調部、１５…送信部、２０、２０ａ…通信装置、２１…データ入力部、２２…通信部、２３…記憶部、２４…制御部、２４１…プログラム取得部、２４２…ダイアログ設定部、２４３…チャンネル状態取得部、２４４…音声制御データ設定部、３０、３０ａ…受信装置、３１…放送受信部、３２…通信部、３３…拡声部、３４…入力部、３５…表示部、３６…記憶部、３７…制御部、３７１…復調部、３７２…分離部、３７３…音声処理部、３７３１…音声復号部、３７３２…音量制御部、３７４…通知処理部、３７５…映像処理部、３７５１…映像復号部、３７５２…表示合成部、３７６…ダイアログ処理部、３７６１…プログラム処理部、３７６２…ダイアログ検出部、３７６３…チャンネル状態取得部、３７６４…音声設定部、４０…放送伝送路、４１…放送衛星、５０、５０ａ…通信伝送路
【図１】
0006508831.tif 000002
【図２】
0006508831.tif 000003
【図３】
0006508831.tif 000004
【図４】
0006508831.tif 000005
【図５】
0006508831.tif 000006
【図６】
0006508831.tif 000007
【図７】
0006508831.tif 000008
【図８】
0006508831.tif 000009
【図９】
0006508831.tif 000010
【図１０】
0006508831.tif 000011
【図１１】
0006508831.tif 000012